(57)【特許請求の範囲】
【請求項１】
メッセージ仲介サーバが行うメッセージ仲介方法において、
商品又はサービスに関するチャットリクエストを受信するステップと、
前記商品又はサービスに対応する識別情報及びユーザＩＤを確認するステップと、
前記識別情報及びユーザＩＤに対応するチャットルームを生成するステップと、
前記チャットルームに対応する商品又はサービスに関連する他の商品又はサービスが存在する場合、前記チャットルームに対応する商品又はサービスに関する第１サービス提供装置から受信した第１メッセージ及び前記他の商品又はサービスを提供する第２サービス提供装置から受信した第２メッセージを前記チャットルームを用いてユーザ端末に送信するステップと、
を含み、
前記商品又はサービスに対応する識別情報は、前記商品又はサービスを区別するための固有情報であり、
前記第１サービス提供装置と第２サービス提供装置は、互いに異なるサービス提供者に対応する、メッセージ仲介方法。
【請求項２】
前記チャットルームを生成するステップは、互いに関連性を有しない商品又はサービスごとに独立的なチャットルームを生成する、請求項１に記載のメッセージ仲介方法。
【請求項３】
前記商品又はサービスに関するチャットリクエストを受信するステップは、前記商品又はサービスに対する識別情報及びユーザＩＤを含むチャットリクエストを受信する、請求項１に記載のメッセージ仲介方法。
【請求項４】
前記メッセージ仲介サーバは、前記ユーザ端末又は第１サービス提供装置から受信した前記商品又はサービスに対する識別情報及びユーザＩＤに基づいてチャットルームに対するトークンを生成し、前記生成されたトークンを前記ユーザ端末又は第１サービス提供装置に伝達し、
前記ユーザ端末又は第１サービス提供装置は、前記メッセージ仲介サーバから受信したトークンを用いてチャットルームに接続する、請求項１に記載のメッセージ仲介方法。
【請求項５】
前記第１サービス提供装置又は第２サービス提供装置は、前記ユーザ端末にサービス進行に関する第１メッセージ又は第２メッセージを送信し、前記サービス進行に関する第１メッセージ又は第２メッセージに対するユーザ端末の応答に応じてサービス進行を制御する、請求項１に記載のメッセージ仲介方法。
【請求項６】
前記第１サービス提供装置及び第２サービス提供装置は、前記商品を提供したり、又はサービスを処理するサービス管理サーバ又は前記サービス管理サーバと連動して商品を提供したり、又はサービスを処理するサービス処理端末を含む、請求項１に記載のメッセージ仲介方法。
【請求項７】
前記第１メッセージ又は第２メッセージは、前記第１メッセージ又は第２メッセージに対するユーザ端末の応答をリクエストするインタフェースと連係する、請求項１に記載のメッセージ仲介方法。
【請求項８】
メッセージ仲介サーバを介して仲介されるメッセージをユーザ端末が処理するメッセージ処理方法において、
商品又はサービスに関するチャットリクエストに応じて生成されたチャットルームに接続するステップと、
第１サービス提供装置が送信した第１メッセージ又は前記第１サービス提供装置とは異なる第２サービス提供装置が送信した第２メッセージを前記チャットルームを用いて受信するステップと、
前記受信した第１メッセージ又は第２メッセージを表示するステップと、
を含み、
前記チャットルームは、商品又はサービスに対する識別情報及びユーザＩＤに対応して生成され、
前記商品又はサービスに対応する識別情報は、前記商品又はサービスを区別するための固有情報であり、
前記第１サービス提供装置は前記チャットルームに対応する商品又はサービスに対応し、前記第２サービス提供装置は前記チャットルームに対応する商品又はサービスに関連する他の商品又はサービスに対応する、メッセージ処理方法。
【請求項９】
前記メッセージ仲介サーバは、前記ユーザ端末又は第１サービス提供装置から受信した前記商品又はサービスに対する識別情報及びユーザＩＤに基づいてチャットルームに対するトークンを生成し、前記生成されたトークンを前記ユーザ端末又は第１サービス提供装置に伝達し、
前記チャットルームに接続するステップは、前記メッセージ仲介サーバから受信した前記トークンを用いてチャットルームに接続する、請求項８に記載のメッセージ処理方法。
【請求項１０】
前記受信した第１メッセージ又は第２メッセージを表示するステップは、前記第１メッセージ又は第２メッセージに対するユーザ端末の応答をリクエストするインタフェースと連係するメッセージを表示する、請求項８に記載のメッセージ処理方法。
【請求項１１】
メッセージ仲介サーバを介して仲介されるメッセージをサービス提供装置が処理するメッセージ処理方法において、
前記サービス提供装置は、互いに異なるサービス提供者に対応する第１サービス提供装置及び第２サービス提供装置を含み、
商品又はサービスに関するチャットリクエストに応じて生成されたチャットルームに接続するステップと、
前記第１サービス提供装置によって作成された、前記商品又はサービスに関する第１メッセージ、又は前記第２サービス提供装置によって作成された、前記商品又はサービスに関連する他の商品又はサービスに関する第２メッセージを前記チャットルームを用いてユーザ端末に送信するステップと、
を含み、
前記チャットルームは、商品又はサービスに対応する識別情報及びユーザＩＤに対応して生成され、
前記商品又はサービスに対応する識別情報は、前記商品又はサービスを区別するための固有情報である、メッセージ処理方法。
【請求項１２】
前記メッセージ仲介サーバは、前記ユーザ端末又は第１サービス提供装置から受信した前記商品又はサービスに対する識別情報及びユーザＩＤに基づいてチャットルームに対するトークンを生成し、前記生成されたトークンを前記ユーザ端末又は第１サービス提供装置に伝達し、
前記チャットルームに接続するステップは、前記メッセージ仲介サーバから受信した前記トークンを用いてチャットルームに接続する、請求項１１に記載のメッセージ処理方法。
【請求項１３】
前記ユーザ端末にサービス進行に関する第１メッセージ又は第２メッセージを送信するステップと、
前記サービス進行に関する第１メッセージ又は第２メッセージに対するユーザ端末の応答に応じてサービス進行を制御するステップと、
をさらに含む、請求項１１に記載のメッセージ処理方法。
【請求項１４】
前記第１サービス提供装置又は第２サービス提供装置は、前記商品を提供したり、又はサービスを処理するサービス管理サーバ又は前記サービス管理サーバと連動して商品を提供したり、又はサービスを処理するサービス処理端末を含む、請求項１１に記載のメッセージ処理方法。
【請求項１５】
メッセージを仲介するメッセージ仲介サーバにおいて、
商品又はサービスに関するチャットリクエストを受信するチャットリクエスト受信部と、
前記商品又はサービスに対応する識別情報を確認する商品／サービス識別部と、
前記識別情報及びユーザＩＤに対応するチャットルームを生成するチャットルーム生成部と、
前記チャットルームに対応する商品又はサービスに関連する他の商品又はサービスが存在する場合、前記チャットルームに対応する商品又はサービスに関する第１サービス提供装置から受信した第１メッセージ及び前記他の商品又はサービスを提供する第２サービス提供装置から受信した第２メッセージを前記チャットルームを用いてユーザ端末に送信するメッセージ伝達部と、
を含み、
前記商品又はサービスに対応する識別情報は、前記商品又はサービスを区別するための固有情報であり、
前記第１サービス提供装置と第２サービス提供装置は、互いに異なるサービス提供者に対応する、メッセージ仲介サーバ。
【請求項１６】
前記チャットルーム生成部は、
互いに関連性を有しない商品又はサービスごとに独立的なチャットルームを生成する、請求項１５に記載のメッセージ仲介サーバ。
【請求項１７】
ユーザ端末において、
商品又はサービスに関するチャットリクエストに応じて生成されたチャットルームに接続するチャットルーム接続部と、
第１サービス提供装置が送信した第１メッセージ又は第１サービス提供装置とは異なる第２サービス提供装置が送信した第２メッセージを前記チャットルームを用いて受信するメッセージ受信部と、
前記受信した第１メッセージ又は第２メッセージを表示するメッセージ表示部と、
を含み、
前記第１サービス提供装置と第２サービス提供装置は、互いに異なるサービス提供者に対応し、
前記チャットルームは、商品又はサービスに対応する識別情報及びユーザＩＤに対応して生成され、
前記商品又はサービスに対する識別情報は、前記商品又はサービスを区別するための固有情報であり、
前記第１サービス提供装置は前記チャットルームに対応する商品又はサービスに対応し、前記第２サービス提供装置は前記チャットルームに対応する商品又はサービスに関連する他の商品又はサービスに対応する、ユーザ端末。
【請求項１８】
商品又はサービスに関するチャットリクエストに応じて生成されたチャットルームに接続するチャットルーム接続部と、
前記第１サービス提供装置によって作成された、前記商品又はサービスに関する第１メッセージ、又は前記第２サービス提供装置によって作成された、前記商品又はサービスに関連する他の商品又はサービスに関する第２メッセージを前記チャットルームを用いてユーザ端末に送信するメッセージ送信部と、
を含み、
前記第１サービス提供装置と第２サービス提供装置は、互いに異なるサービス提供者に対応し、
前記チャットルームは、商品又はサービスに対応する識別情報及びユーザＩＤに対応して生成され、
前記商品又はサービスに対する識別情報は、前記商品又はサービスを区別するための固有情報である、サービス提供装置。
【発明の詳細な説明】
【技術分野】
【０００１】
本発明は、メッセージ仲介方法、メッセージ処理方法、サービス管理方法及び前記方法を行う装置に関し、より詳細には、メッセージ仲介サーバによってサービス又は商品によって生成されたチャットルームを用いてユーザ端末が商品又はサービスに関するメッセージをサービス提供装置から受信することに関する。
【０００２】
そして、本発明は、サービス管理方法及び前記方法を行うサービス処理端末に関し、より詳しくは、サービスをリクエストするユーザ端末のためのサービス管理方法に関する。
【背景技術】
【０００３】
従来、ユーザが商品を購入する場合、商品販売者はユーザにＳＭＳ、携帯電話又はＰＣなどを用いて商品購買の内訳又は商品準備などのような商品購買履歴を提供しなければならなかった。それだけではなく、商品購買の以後に商品配送に関して宅配会社はＳＭＳを用いて商品配送状態をユーザに知らせたり、又はユーザは、ＰＣや携帯電話などにより直接配送状態を照会したりしなければならなかった。
【０００４】
結局、ユーザは、商品購買の以後に関するサービス提供者とコミュニケーションするためには多少複雑な方法を行わざるを得なかった。それだけではなく、サービス提供者の立場からも、ユーザに必要な事項を送信するために別途のＳＭＳを用いて通信コストを負担する不便さがあった。
【０００５】
したがって、ユーザに提供される商品又はサービスに関してユーザと更に便利に情報を伝達したりコミュニケーションしたりできる方法が求められている。
【０００６】
一方、一般的に宅配便配達員、コールタクシーの運転手、代行運転手、便利屋サービスなどの様々な形態のサービスを提供しているサービス提供者は、一般的にサービス管理のためのスマートフォン、タブレットＰＣ、又はＰＤＡのようなクライアント端末を所持する。これにより、サービス提供者は、このようなクライアント端末を用いてユーザがリクエストしたサービスをより便利に処理することができる。
【０００７】
しかし、サービス提供者がサービスを処理するとき必要なサービス予定の案内やサービス進行状況をユーザに提供する場合、サービス提供者は、別途の通信費用を消費してサービス処理に必要なメッセージや情報などをユーザに送信しなければならない。
【０００８】
また、互いに異なる業者にサービス提供者ごとに互いに異なるサービス管理プログラムを使用していたり、サービス提供者のクライアント端末に別途のサービス管理プログラムがインストールされていなかったりする場合もあり得る。このため、サービス提供者がクライアント端末を用いてユーザがリクエストしたサービスを便利な方式で管理する方法が求められている。
【発明の概要】
【発明が解決しようとする課題】
【０００９】
本発明は、商品又はサービスにより生成されたチャットルームを用いて商品又はサービスに関するメッセージを仲介することによって、ユーザ端末に商品又はサービスに関するメッセージをより便利に送信できる方法及び装置を提供する。
【００１０】
本発明は、サービス処理装置が別途のコストを発生させることなく、メッセンジャープログラムが提供するチャットルームを用いて無料でユーザ端末に商品又はサービスに関するメッセージを送信できる方法及び装置を提供する。
【００１１】
本発明は、商品又はサービスに関するメッセージによって、ユーザにサービス提供者が要求する行為を誘導でき、サービスの効率性が向上した方法及び装置を提供する。
【００１２】
本発明は、サービス処理端末を所有しているサービス提供者がサービスをリクエストしたユーザ端末のためのサービス管理をより便利に処理できる方法及び端末を提供する。
【００１３】
本発明は、チャットプログラムが提供するチャットルームをユーザがリクエストしたサービスにより生成した後、サービス処理に必要な様々な形態のサービス進行メッセージを送信することによって、簡単ながらコスト面において効率よくサービスを管理できる方法及び端末を提供する。
【課題を解決するための手段】
【００１４】
本発明の一実施形態によるメッセージ仲介サーバが行うメッセージ仲介方法は、ユーザ端末又は少なくとも１つのサービス提供装置から商品又はサービスに関するチャットリクエストを受信するステップと、前記商品又はサービスを識別するステップと、前記識別された商品又はサービスに対応するチャットルームを生成するステップと、前記チャットルームを用いて前記少なくとも１つのサービス提供装置から受信したメッセージをユーザ端末に送信するステップとを含む。
【００１５】
前記商品又はサービスに対応するチャットルームを生成するステップは、前記商品又はサービスが複数であり、複数の商品又はサービスの間に関連性が存在しない場合、複数の商品又はサービスごとに独立的なチャットルームを生成してもよい。
【００１６】
前記商品又はサービスに対応するチャットルームを生成するステップは、前記商品又はサービスが複数であり、複数の商品又はサービスの間に関連性が存在する場合、前記関連性が存在する複数の商品又はサービスに対するメッセージ交換のために１つのチャットルームを生成してもよい。
【００１７】
前記商品又はサービスに関するチャットリクエストを受信するステップは、前記商品又はサービスに対する識別情報及びユーザＩＤを含むチャットリクエストを受信してもよい。
【００１８】
前記メッセージ仲介サーバは、前記ユーザ端末又は少なくとも１つのサービス提供装置から受信した前記商品又はサービスに対する識別情報及びユーザＩＤに基づいてチャットルームに対するトークンを生成し、前記生成されたトークンを前記ユーザ端末又は少なくとも１つのサービス提供装置に伝達してもよい。
【００１９】
前記ユーザ端末又は少なくとも１つのサービス提供装置は、前記メッセージ仲介サーバから受信したトークンを用いてチャットルームに接続してもよい。
【００２０】
前記サービス提供装置は、前記ユーザ端末にサービス進行に関するメッセージを送信し、前記サービス進行に関するメッセージに対するユーザ端末の応答に応じてサービス進行を制御してもよい。
【００２１】
前記サービス提供装置は、前記商品を提供したり、又はサービスを処理するサービス管理サーバ又は前記サービス管理サーバと連動して商品を提供したり、又はサービスを処理するサービス処理端末を含んでもよい。
【００２２】
前記メッセージは、前記メッセージに対するユーザ端末の応答をリクエストするインタフェースと連係し得る。
【００２３】
本発明の一実施形態によるメッセージ仲介サーバを介して仲介されるメッセージをユーザ端末が処理するメッセージ処理方法は、ユーザ端末又は少なくとも１つのサービス提供装置からの商品又はサービスに関するチャットリクエストに応じて生成されたチャットルームに接続するステップと、前記少なくとも１つのサービス提供装置がチャットルームを用いて送信したメッセージを受信するステップと、前記受信したメッセージを表示するステップとを含み、前記チャットルームは、メッセージ仲介サーバによって識別された前記商品又はサービスに対応して生成される。
【００２４】
前記チャットルームは、前記商品又はサービスが複数であり、複数の商品又はサービスの間に関連性が存在する場合、前記関連性に基づいて１つのチャットルームが生成されてもよい。
【００２５】
前記チャットルームは、前記商品又はサービスに対する識別情報及びユーザＩＤを含むチャットリクエストに応じて生成されてもよい。
【００２６】
前記メッセージ仲介サーバは、前記ユーザ端末又は少なくとも１つのサービス提供装置から受信した前記商品又はサービスに対する識別情報及びユーザＩＤに基づいてチャットルームに対するトークンを生成し、前記生成されたトークンを前記ユーザ端末又は少なくとも１つのサービス提供装置に伝達してもよい。
【００２７】
前記チャットルームに接続するステップは、前記メッセージ仲介サーバから受信した前記トークンを用いてチャットルームに接続してもよい。
【００２８】
前記サービス提供装置は、前記ユーザ端末にサービス進行に関するメッセージを送信し、前記サービス進行に関するメッセージに対するユーザ端末の応答に応じてサービス進行を制御してもよい。
【００２９】
前記サービス提供装置は、前記商品を提供したり、又はサービスを処理するサービス管理サーバ又は前記サービス管理サーバと連動して商品を提供したり、又はサービスを処理するサービス処理端末を含んでもよい。
【００３０】
前記受信したメッセージを表示するステップは、前記メッセージに対するユーザ端末の応答をリクエストするインタフェースと連係するメッセージを表示してもよい。
【００３１】
本発明の一実施形態によるメッセージ仲介サーバを介して仲介されるメッセージをサービス提供装置が処理するメッセージ処理方法は、ユーザ端末又は少なくとも１つのサービス提供装置からの商品又はサービスに関するチャットリクエストに応じて生成されたチャットルームに接続するステップと、前記商品又はサービスに関するメッセージをチャットルームを用いてユーザ端末に送信するステップとを含み、前記チャットルームは、メッセージ仲介サーバによって識別された前記商品又はサービスに対応して生成される。
【００３２】
前記チャットルームは、前記商品又はサービスが複数であり、複数の商品又はサービスの間に関連性が存在する場合、前記関連性に基づいて１つのチャットルームが生成されてもよい。
【００３３】
前記チャットルームは、前記商品又はサービスに対する識別情報及びユーザＩＤを含むチャットリクエストに応じて生成されてもよい。
【００３４】
前記メッセージ仲介サーバは、前記ユーザ端末又は少なくとも１つのサービス提供装置から受信した前記商品又はサービスに対する識別情報及びユーザＩＤに基づいてチャットルームに対するトークンを生成し、前記生成されたトークンを前記ユーザ端末又は少なくとも１つのサービス提供装置に伝達してもよい。
【００３５】
前記チャットルームに接続するステップは、前記メッセージ仲介サーバから受信した前記トークンを用いてチャットルームに接続してもよい。
【００３６】
前記メッセージ処理方法は、前記ユーザ端末にサービス進行に関するメッセージを送信するステップと、前記サービス進行に関するメッセージに対するユーザ端末の応答に応じてサービス進行を制御するステップとをさらに含んでもよい。
【００３７】
前記少なくとも１つのサービス提供装置は、前記商品を提供したり、又はサービスを処理するサービス管理サーバ又は前記サービス管理サーバと連動して商品を提供したり、又はサービスを処理するサービス処理端末を含んでもよい。
【００３８】
本発明の一実施形態によるメッセージを仲介するメッセージ仲介サーバは、ユーザ端末又は少なくとも１つのサービス提供装置から商品又はサービスに関するチャットリクエストを受信するチャットリクエスト受信部と、前記商品又はサービスを識別する商品／サービス識別部と、前記識別された商品又はサービスに対応するチャットルームを生成するチャットルーム生成部と、前記チャットルームを用いて前記少なくとも１つのサービス提供装置から受信したメッセージをユーザ端末に送信するメッセージ伝達部とを含む。
【００３９】
前記チャットルーム生成部は、前記商品又はサービスが複数であり、複数の商品又はサービスの間に関連性が存在しない場合、複数の商品又はサービスごとに独立的なチャットルームを生成し、前記商品又はサービスが複数であり、複数の商品又はサービスの間に関連性が存在する場合、前記関連性が存在する複数の商品又はサービスに対するメッセージ交換のために１つのチャットルームを生成してもよい。
【００４０】
本発明の一実施形態によるユーザ端末は、ユーザ端末又は少なくとも１つのサービス提供装置からの商品又はサービスに関するチャットリクエストに応じて生成されたチャットルームに接続するチャットルーム接続部と、前記少なくとも１つのサービス提供装置がチャットルームを用いて送信したメッセージを受信するメッセージ受信部と、前記受信したメッセージを表示するメッセージ表示部とを含み、前記チャットルームは、メッセージ仲介サーバによって識別された前記商品又はサービスに対応して生成される。
【００４１】
本発明の一実施形態によるサービス提供装置は、ユーザ端末又は少なくとも１つのサービス提供装置からの商品又はサービスに関するチャットリクエストに応じて生成されたチャットルームに接続するチャットルーム接続部と、前記商品又はサービスに関するメッセージをチャットルームを用いてユーザ端末に送信するメッセージ送信部とを含み、前記チャットルームは、メッセージ仲介サーバによって識別された前記商品又はサービスに対応して生成される。
【００４２】
本発明の一実施形態によるサービス処理端末が行うサービス管理方法は、ユーザがリクエストした少なくとも１つのサービスを含むサービス リストを受信するステップと、前記ユーザがリクエストしたサービスにより生成されたチャットルームを用いてサービス進行メッセージを送信するステップを含み、前記サービスリストは、サービスをリクエストしたユーザの詳細情報又はサービスの詳細情報を含む。
【００４３】
前記チャットルームは、ユーザがリクエストしたサービスに基づいて一回性のものとして（その都度）生成されてもよい。
【００４４】
前記チャットルームは、前記選択されたサービスに対して予め設定されたサービス処理期間が経過したり、又はサービス処理が完了すれば消滅してもよい。
【００４５】
前記サービスリストに含まれた少なくとも１つのユーザ端末に前記ユーザがリクエストしたサービスの処理に同意するか否かを問い合わせるステップをさらに含んでもよい。
【００４６】
前記問い合わせに対して前記ユーザ端末からユーザの同意を受信した場合、チャットルームは、ユーザがリクエストしたサービスによりメッセージ仲介サーバによって生成されてもよい。
【００４７】
前記チャットルームは、前記ユーザがリクエストしたサービスの詳細情報及びユーザの詳細情報に基づいて生成されてもよい。
【００４８】
前記サービス進行メッセージに対するユーザの応答に基づいてサービス状態を変更するステップをさらに含んでもよい。
【００４９】
前記サービスリストに含まれた少なくとも１つのユーザがリクエストしたサービスの詳細情報を受信するステップと、前記受信した詳細情報に基づいてサービス処理端末を所有しているサービス提供者にユーザがリクエストしたサービスの処理の有無を問い合わせるステップとをさらに含んでもよい。
【００５０】
前記サービス進行メッセージを送信するステップは、前記ユーザと友人関係にある他のユーザのユーザ端末又は前記ユーザが指定した他のユーザのユーザ端末にサービス進行メッセージを送信してもよい。
【００５１】
前記サービスリストを受信するステップは、サービスをリクエストしたユーザ端末に関するサービス処理日程、サービス処理地域、サービス状態のうち少なくとも１つに基づいてサービスリストを整列してもよい。
【００５２】
本発明の一実施形態によるサービス処理端末は、ユーザがリクエストした少なくとも１つのサービスを含むサービスリストを受信するリスト受信部と、前記ユーザがリクエストしたサービスにより生成されたチャットルームを用いてサービス進行メッセージを送信するメッセージ送信部を含み、前記サービスリストは、サービスをリクエストしたユーザの詳細情報又はサービスの詳細情報を含む。
【００５３】
サービス処理端末は、前記サービスリストに含まれた少なくとも１つのユーザ端末に前記ユーザがリクエストしたサービスの処理に同意するか否かを問い合わせる同意問い合わせ部をさらに含んでもよい。
【００５４】
前記問い合わせに対して前記ユーザ端末からユーザの同意を受信した場合、チャットルームは、ユーザがリクエストしたサービスによりメッセージ仲介サーバによって生成されてもよい。
【００５５】
サービス処理端末は、前記サービス進行メッセージに対するユーザの応答に基づいてサービス状態を変更するサービス管理部をさらに含んでもよい。
【００５６】
サービス処理端末は、前記サービスリストに含まれた少なくとも１つのユーザがリクエストしたサービスの詳細情報を受信し、前記受信した詳細情報に基づいてサービス処理端末を所有しているサービス提供者にユーザがリクエストしたサービスの処理如何を問い合わせるサービス問い合わせ部をさらに含んでもよい。
【発明の効果】
【００５７】
本発明の一実施形態によると、商品又はサービスにより生成されたチャットルームを用いて商品又はサービスに関するメッセージを仲介することによって、ユーザ端末に商品又はサービスに関するメッセージをより便利に送信することができる。
【００５８】
本発明の一実施形態によると、サービス提供装置が別途のコストを発生させることなく、メッセンジャープログラムが提供するチャットルームを用いて無料でユーザ端末に商品又はサービスに関するメッセージを送信することができる。
【００５９】
本発明の一実施形態によると、商品又はサービスに関するメッセージによって、ユーザにサービス提供者が要求する行為を誘導できることから、サービスの効率性が向上する。
【００６０】
本発明の一実施形態によると、サービス処理端末を所有しているサービス提供者がサービスをリクエストしたユーザ端末のためのサービス管理をより便利に処理することができる。
【００６１】
本発明の一実施形態によると、チャットプログラムが提供するチャットルームをユーザがリクエストしたサービスにより生成した後、サービス処理に必要な様々な形態のサービス進行メッセージを送信することによって、簡単ながらコスト面において効率よくサービスを管理することができる。
【図面の簡単な説明】
【００６２】
【図１】一実施形態によるメッセージ仲介方法を行う全体システムを示す図である。
【図２】一実施形態によるチャットルームを用いてメッセージを仲介する過程を説明する図である。
【図３】一実施形態によるメッセージ仲介サーバの詳細構成を示す図である。
【図４】一実施形態によるユーザ端末の詳細構成を示す図である。
【図５】一実施形態によるサービス提供装置の詳細構成を示す図である。
【図６】一実施形態により商品又はサービスが複数であり、複数の商品又はサービスの間に関連性が存在しない場合に生成されたチャットルームを用いてメッセージを送信する過程を説明する図である。
【図７】一実施形態により商品又はサービスが複数であり、複数の商品又はサービスの間に関連性が存在する場合に生成されたチャットルームを用いてメッセージを送信する過程を説明する図である。
【図８】一実施形態による商品又はサービスの処理過程によりチャットルームを用いてサービス提供装置が送信するメッセージを示す図である。
【図９】一実施形態によるメッセージ仲介サーバが行うメッセージ仲介方法を示す図である。
【図１０】一実施形態によるユーザ端末が行うメッセージ処理方法を示す図である。
【図１１】一実施形態によるサービス提供装置が行うメッセージ処理方法を示す図である。
【図１２】一実施形態によるサービス管理方法を行う全体システムを示す図である。
【図１３】一実施形態によるサービス処理端末の詳細構成を示す図である。
【図１４】一実施形態によるサービスにより生成されたチャットルームを用いてサービス処理端末が送信するサービス進行メッセージを示す図である。
【図１５】一実施形態によりサービス処理端末にサービスの処理如何を問い合わせる過程を示す図である。
【図１６】他の実施形態によるサービス処理端末が行うサービス管理方法を示す図である。
【発明を実施するための形態】
【００６３】
以下、本発明の実施形態について添付の図面を参照しながら詳細に説明する。
【００６４】
図１は、一実施形態によるメッセージ仲介方法を行う全体システムを示す図である。
【００６５】
図１に示されたシステムは、メッセージ仲介サーバ１０１、ユーザ端末１０２−１〜１０２−Ｎ、サービス管理サーバ１０３−１〜１０３−Ｎ、及びサービス処理端末１０４−１〜１０４−Ｓから構成される。サービス管理サーバ１０３−１〜１０３−Ｎ及びサービス処理端末１０４−１〜１０４−Ｓは、サービス提供装置に定義される。
【００６６】
サービス管理サーバ１０３−１〜１０３−Ｎは、商品販売業者又は配送業者などのように商品又はサービスを提供する事業者が運営するサーバを意味する。そして、サービス処理端末１０４−１〜１０４−Ｓは、サービス管理サーバ１０３−１〜１０３−Ｎと連動して実際に商品販売又は商品配送を行うクライアントが所持しているＰＤＡ、スマートフォン、携帯用端末、ＰＣ、タブレットなどの通信可能な端末を意味する。以下で説明するサービス提供装置は、サービス管理サーバ１０３−１〜１０３−Ｎ及びサービス処理端末１０４−１〜１０４−Ｓのいずれか１つを意味すると仮定する。
【００６７】
メッセージ仲介サーバ１０１は、サービス又は商品に対応して生成されたチャットルームを用いてユーザ端末１０２−１〜１０２−Ｎとサービス処理端末１０４−１〜１０４−Ｓの間にメッセージを仲介する。又は、メッセージ仲介サーバ１０１は、ユーザ端末１０２−１〜１０２−Ｎとサービス管理サーバ１０３−１〜１０３−Ｎの間にメッセージを仲介してもよい。
【００６８】
メッセージ仲介サーバ１０１は、ユーザ端末１０２−１〜１０２−Ｎとサービス提供装置に対してサービス又は商品に対応するチャットルームを提供することによって、サービス提供装置はより便利に商品又はサービスに関するメッセージをチャットルームを用いてユーザ端末に送信することができる。
【００６９】
例えば、ユーザ端末１０２−１のユーザが商品を購入した後宅配を用いて商品を受け取る場合を仮定する。すると、商品販売サービスを行うサービス提供装置は、商品購買に関する様々なメッセージを商品に対応するチャットルームを用いてユーザ端末１０２−１に提供することができる。そして、商品宅配サービスを行うサービス提供装置は、商品配送に関する様々なメッセージを商品に対応するチャットルームを用いてユーザ端末１０２−１に提供することができる。
【００７０】
すなわち、ユーザ端末１０２−１は、商品又はサービスに対応するチャットルームを用いてサービス提供装置から商品又はサービスに関する様々なメッセージを受信し、ユーザ端末とサービス提供装置がより便利にコミュニケーションできる。特に、商品又はサービスに対応するチャットルームは、ユーザ端末とサービス提供装置にそれぞれ設けられるアプリケーション（例えば、メッセンジャープログラム）によって生成されてもよい。もし、アプリケーションを介して送受信されるメッセージに賦課されるコストが無料である場合、サービス提供装置は、商品又はサービスに関する送信事項をメッセージ形式にユーザ端末に提供することでコスト節減が可能である。
【００７１】
そして、メッセージは、メッセージに対するユーザ端末の応答をリクエストするインタフェースと連係し得る。例えば、メッセージの内容に対するユーザの選択、処理リクエストなどに関する識別子（ボタン、アイコンなど）がメッセージと共にチャットルームに表示され得る。
【００７２】
図２は、一実施形態によるチャットルームを用いてメッセージを仲介する過程を説明する図である。
【００７３】
図２を参照すると、メッセージ仲介サーバ２０１が提供したチャットルームを用いてサービス提供装置２０３が商品又はサービスに関するメッセージをユーザ端末２０２に送信する過程を示す。ここで、チャットルームは、ユーザ端末２０２とサービス提供装置２０３で一般的に用いられるメッセンジャープログラムとして使用される。そして、チャットルームは、商品又はサービスに対応して生成されてもよい。特に、メッセンジャープログラムは、アプリケーション形態にユーザ端末２０２とサービス提供装置２０３にインストールされ、メッセージ仲介サーバ２０１が配布するプログラムであり得る。そして、ユーザ端末２０２とサービス提供装置２０３は、メッセンジャープログラムをインストールするためにメッセージ仲介サーバ２０１に認証を介して予め登録され得る。
【００７４】
そして、ユーザ端末２０２とサービス提供装置２０３が互いに友人として登録されている場合にチャットルームが生成され、又は互いに友人として登録されていなくてもサービス又は商品によりチャットルームが生成され得る。すなわち、本発明の一実施形態によると、チャットルームを用いてユーザ端末２０２とサービス提供装置２０３がチャットルームを生成するために必ず友人登録が要求されないため、便利にメッセージ仲介サーバ２０１が生成したチャットルームを用いてコミュニケーションできる。
【００７５】
ここで、チャットルームは、サービス提供装置２０３がユーザ端末２０２に提供する商品又はサービスにより独立的に生成され得る。例えば、サービス提供装置２０３がユーザ端末２０２に提供する商品又はサービスが複数存在し、複数の商品又はサービスの間に関連性が存在しない場合、複数の商品又はサービスごとに互いに異なるチャットルームが生成されてもよい。
【００７６】
反対に、商品又はサービスが複数であり、複数の商品又はサービスの間に関連性が存在する場合、関連性が存在する複数の商品又はサービスに対するメッセージ交換のために１つのチャットルームが生成され得る。一例として、複数の商品又はサービス間の関連性は次のように決定される。
（ｉ）商品がサービスから派生したり、又はサービスが商品から派生する場合（例えば、サービスに対するギフト、無料提供サービスなど）
（ｉｉ）商品提供又はサービス提供が時間により連続的に処理される場合
（ｉｉｉ）ユーザ端末のリクエストに応じて意図的に商品又はサービスが互いにカテゴリー化された場合
（ｉｖ）商品又はサービスが同一の識別情報に割り当てられる場合
【００７７】
例えば、特定商品に対して商品販売と商品配送が時間により連続的に処理される場合、商品販売と商品配送は互いに関連性があると判断する。すると、商品販売に関するメッセージと商品配送に関するメッセージを送信するサービス提供装置がそれぞれ異なっても１つのチャットルームを用いてユーザ端末に伝えられる。
【００７８】
図３は、一実施形態によるメッセージ仲介サーバの詳細構成を示す図である。
【００７９】
図３を参照すると、メッセージ仲介サーバ３０１は、チャットリクエスト受信部３０４、商品／サービス識別部３０５、チャットルーム生成部３０６、メッセージ伝達部３０７を含む。
【００８０】
チャットリクエスト受信部３０４は、ユーザ端末３０２又は少なくとも１つのサービス提供装置３０３から商品又はサービスに関するチャットリクエストを受信する。一例として、チャットリクエスト受信部３０４は、商品又はサービスに対する識別情報及びユーザＩＤを含むチャットリクエストをユーザ端末又は少なくとも１つのサービス提供装置３０３から受信してもよい。
【００８１】
商品／サービス識別部３０５は、商品又はサービスを識別する。
【００８２】
チャットルーム生成部３０６は、識別された商品又はサービスに対応するチャットルームを生成する。
【００８３】
一例として、商品又はサービスが複数であり、複数の商品又はサービスの間に関連性が存在しない場合、チャットルーム生成部３０６は、複数の商品又はサービスごとに独立的なチャットルームを生成する。そして、商品又はサービスが複数であり、複数の商品又はサービスの間に関連性が存在する場合、チャットルーム生成部３０６は、関連性が存在する複数の商品又はサービスに対するメッセージ交換のために１つのチャットルームを生成する。
【００８４】
メッセージ仲介サーバ３０１は、ユーザ端末３０２又は少なくとも１つのサービス提供装置３０３から受信した商品又はサービスに対する識別情報及びユーザＩＤに基づいてチャットルームに対するトークンを生成してもよい。商品又はサービスに対する識別情報は、商品又はサービスを区分するための固有情報を意味する。そして、ユーザＩＤは、ユーザ端末３０２の電話番号又は氏名などのようにユーザ端末３０２のユーザを区分するための固有情報であり得る。
【００８５】
そして、メッセージ仲介サーバ３０１は、生成されたトークンをユーザ端末３０２又は少なくとも１つのサービス提供装置３０３に伝達してもよい。すると、ユーザ端末３０２又は少なくとも１つのサービス提供装置３０３は、メッセージ仲介サーバ３０１から受信したトークンを用いてチャットルームに接続する。ここで、トークンは、チャットルームに接続できる権限として１回性トークンであってもよい。
【００８６】
メッセージ伝達部３０７は、チャットルームを用いて少なくとも１つのサービス提供装置３０３から受信したメッセージをユーザ端末３０２に送信する。
【００８７】
そして、商品提供又はサービス提供が完了する場合、チャットルーム生成部３０６は、商品又はサービスに対応したチャットルームを削除する。すなわち、チャットルームを接続することのできる権限であるトークンの使用が満了してチャットルームは削除される。ここで、チャットルーム生成部３０６は、ユーザ端末３０２のリクエストに応じて予め設定された期間中にチャットルームを用いて送信されたメッセージを格納できる。
【００８８】
図４は、一実施形態によるユーザ端末の詳細構成を示す図である。
【００８９】
図４を参照すると、ユーザ端末４０２は、チャットルーム接続部４０４、メッセージ受信部４０５、及びメッセージ表示部４０６を含む。
【００９０】
チャットルーム接続部４０４は、ユーザ端末又は少なくとも１つのサービス提供装置からの商品又はサービスに関するチャットリクエストに応じて生成されたチャットルームに接続してもよい。前述したように、商品又はサービスが複数であり、複数の商品又はサービスの間に関連性が存在する場合、関連性に基づいて１つのチャットルームが生成される。そして、商品又はサービスが複数であり、複数の商品又はサービスの間に関連性がない場合、複数の商品又はサービスごとに独立的なチャットルームが生成される。ここで、ユーザ端末４０２とサービス提供装置４０３は、ユーザ端末４０２がリクエストした商品又はサービスに対する識別情報及びユーザのＩＤに基づいたトークンを用いてチャットルームに接続してもよい。
【００９１】
ここで、商品又はサービスに対する識別情報サービスを区分するための固有情報を意味する。そして、ユーザＩＤは、ユーザ端末４０２ユーザの電話番号又は氏名などのようにユーザを区分するための固有情報であり得る。すなわち、ユーザ端末４０２とサービス提供装置４０３は、メッセージ仲介サーバ４０１が提供したトークンを用いて商品又はサービスに対応して生成されたチャットルームに接続できる。
【００９２】
そして、商品提供又はサービス提供が完了する場合、商品又はサービスに対応したチャットルームが削除されてもよい。すなわち、チャットルームを接続することのできる権限であるトークンの使用が満了してチャットルームは削除される。ここで、チャットルーム生成部３０６は、ユーザ端末３０２のリクエストに応じて予め設定された期間中にチャットルームを用いて送信されたメッセージを格納できる。
【００９３】
メッセージ受信部４０５は、サービス提供装置４０３がチャットルームに送信したメッセージを受信する。ここで、サービス提供装置４０３が送信するメッセージは、商品又はサービスと関連して商品提供、商品処理、サービス進行予定、サービス準備を示すメッセージ又はサービスが進行された後処理過程を示すメッセージなどを含む。すなわち、メッセージは、商品又はサービスの処理ステップごとに区分され、ユーザ端末４０２に商品提供又はサービスの処理事項を案内する内容を含む。
【００９４】
メッセージ表示部４０６は、サービス提供装置４０３がチャットルームを用いて送信したメッセージをチャットウィンドウによって表示する。
【００９５】
図５は、一実施形態によるサービス提供装置の詳細構成を示す図である。
【００９６】
図５を参考すると、サービス提供装置５０３は、チャットルーム接続部５０４、メッセージ送信部５０５、サービス管理部５０６を含む。
【００９７】
チャットルーム接続部５０４は、ユーザ端末又は少なくとも１つのサービス提供装置からの商品又はサービスに関するチャットリクエストに応じて生成されたチャットルームに接続する。前述したように、商品又はサービスが複数であり、複数の商品又はサービスの間に関連性が存在する場合、関連性に基づいて１つのチャットルームが生成される。そして、商品又はサービスが複数であり、複数の商品又はサービスの間に関連性がない場合、複数の商品又はサービスごとに独立的なチャットルームが生成される。ここで、ユーザ端末５０２とサービス提供装置５０３は、ユーザ端末５０２がリクエストした商品又はサービスに対する識別情報及びユーザＩＤに基づいたトークンを用いてチャットルームに接続できる。ここで、トークンは、ユーザ端末５０２とサービス提供装置５０３がチャットルームに接続するために用いられる１回性トークンであってもよい。
【００９８】
ここで、商品又はサービス識別情報は、商品又はサービスを区分するための固有情報を意味する。そして、ユーザＩＤは、ユーザ端末５０２ユーザの電話番号又は氏名などのようにユーザを区分するための固有情報である。すなわち、チャットルーム接続部５０４は、トークンを用いて商品又はサービスに対応して生成されたチャットルームに接続できる。
【００９９】
そして、商品提供又はサービス提供が完了した場合、商品又はサービスに対応したチャットルームが削除されてもよい。すなわち、チャットルームを接続できる権限であるトークンの使用が満了してチャットルームは削除される。ここで、メッセージ仲介サーバ５０１は、ユーザ端末５０２のリクエストに応じて予め設定された期間中にチャットルームを用いて送信されたメッセージを格納できる。
【０１００】
メッセージ送信部５０５は、商品又はサービスに関するメッセージをチャットルームを用いて送信する。ここで、サービス提供装置５０３が送信するメッセージは、商品又はサービスと関連して商品提供、商品処理、サービス進行予定、サービス準備を示すメッセージ又はサービスが進行された後処理過程を示すメッセージなどを含む。すなわち、メッセージは、商品又はサービスの処理ステップごとに区分されてユーザ端末５０２に商品提供又はサービスの処理事項を案内する内容を含んでもよい。
【０１０１】
サービス管理部５０６は、商品又はサービスをリクエストしたユーザ端末５０２に関する商品／サービス処理日程、商品／サービス処理地域、商品／サービス予定状態のうち少なくとも１つに基づいてユーザ端末５０２を整列してリスティングできる。そして、サービス管理部５０６は、商品又はサービスをリクエストしたユーザ端末５０２に商品／サービス処理日程を送信してもよい。そして、サービス管理部５０６は、商品又はサービス処理日程に対するユーザ端末５０２の応答に応じて商品又はサービスの予定状態を制御する。サービス管理部５０６の動作については図９を参照してより具体的に説明する。
【０１０２】
図６は、一実施形態により商品又はサービスが複数であり、複数の商品又はサービスの間に関連性が存在しない場合に生成されたチャットルームを用いてメッセージを送信する過程を説明する図である。
【０１０３】
図６を参照すると、サービス提供装置（１）６０３−１は商品１又はサービス１を提供し、サービス提供装置（２）６０３−２は商品２又はサービス２を提供すると仮定する。本発明の一実施形態によると、ユーザ端末に提供される商品又はサービスが複数であり、複数の商品又はサービスごとに互いに関連性がない場合、商品又はサービスごとに独立的なチャットルームが生成される。
【０１０４】
図６において、商品１又はサービス１が商品２又はサービス２と互いに関連性がない場合、サービス提供装置（１）６０３−１が提供する商品１又はサービス１に対応してチャットルーム（１）６０１が生成され、チャットルーム（１）６０１によって商品１又はサービス１に関するメッセージ１がユーザ端末に送信される。そして、サービス提供装置（２）６０３−２が提供する商品２又はサービス２に対応してチャットルーム（１）６０１と独立的なチャットルーム（２）６０２が生成され、チャットルーム（２）６０２によって商品２又はサービス２に関するメッセージ２がユーザ端末に送信される。
【０１０５】
結論的に、チャットルームは、複数の商品又はサービスが存在するものの、複数の商品又はサービスが互いに関連性がない場合に複数の商品又はサービスごとに対応するチャットルームが生成される。言い換えれば、同一のユーザ端末に対して互いに関連性のない商品又はサービスが提供される場合、商品又はサービスごとに互いに異なるチャットルームが生成される。
【０１０６】
図７は、一実施形態により商品又はサービスが複数であり、複数の商品又はサービスの間に関連性が存在する場合に生成されたチャットルームを用いてメッセージを送信する過程を説明する図である。
【０１０７】
図７を参照すると、サービス提供装置（１）７０２−１は商品１又はサービス１を提供し、サービス提供装置（２）７０２−２は商品２又はサービス２を提供すると仮定する。本発明の一実施形態によると、ユーザ端末に提供される商品又はサービスが複数であっても、複数の商品又はサービスの間に関連性が存在する場合、関連性に基づいて１つのチャットルームが生成される。
【０１０８】
図７において、商品１又はサービス１が商品２又はサービス２が互いに関連性があると仮定する。すると、サービス提供装置（１）７０２−１が提供する商品１又はサービス１に関するメッセージ１とサービス提供装置（２）７０２−２が提供する商品２又はサービス２に関するメッセージ２は関連性に基づいて生成された１つのチャットルームを用いてユーザ端末に送信される。
【０１０９】
上記で説明した商品又はサービスの間の関連性は（ｉ）商品がサービスから派生したり、又はサービスが商品から派生する場合（例えば、サービスに対するギフト、無料提供サービスなど）、（ｉｉ）商品提供又はサービス提供が時間により連続的に処理される場合、（ｉｉｉ）ユーザ端末のリクエストに応じて意図的に商品又はサービスが互いにカテゴリー化された場合、（ｉｖ）商品又はサービスが同一の識別情報に割り当てられる場合に発生する可能性がある。
【０１１０】
例えば、サービス提供装置（１）７０２−１はユーザが購入した商品を販売し、サービス提供装置（２）７０２−２は前記販売された商品をユーザに配送すると仮定する。ユーザに商品を販売することと商品をユーザに配送することは、販売された商品から商品配送サービスに派生した結果に基づく。すると、商品販売に関するメッセージと商品配送に関するメッセージは１つのチャットルームを用いてユーザ端末に送信され得る。
【０１１１】
図８は、一実施形態による商品又はサービスの処理過程によりチャットルームを用いてサービス提供装置が送信するメッセージを示す図である。
【０１１２】
図８に示すＳｔｅｐ１に表示されたチャットルームリストは、ユーザ端末にインストールされたメッセンジャープログラムを用いて表示される。ここで、チャットルームリストは、サービス又は商品により生成されたチャットルームだけではなく、ユーザ端末と友人関係にある他のユーザ間に生成されたチャットルームも含む。
【０１１３】
ここで、チャットルーム２が商品に対応して生成されたものと仮定する。すると、商品に対する識別情報とユーザＩＤに基づいたトークンがメッセージ仲介サーバによって生成されてユーザ端末及びサービス提供装置に提供される。ユーザ端末又はサービス提供装置がチャットルーム２を選択すると、ユーザ端末又はサービス提供装置は、メッセージ仲介サーバが提供したトークンを用いてチャットルーム２に接続することができる。
【０１１４】
ここで、商品を販売する主体がサービス提供者１であり、商品を配送する主体がサービス提供者２であると仮定する。商品販売サービスと商品配送サービスは、特定商品を介して派生されるものであるため互いに関連性がある。これにより、商品販売サービスと商品配送サービスがそれぞれ異なっても商品を媒介として１つのチャットルームを用いてメッセージがユーザ端末に提供され得る。
【０１１５】
図８に示すＳｔｅｐ２は、ユーザが商品を購入するステップに関するメッセージが送信される場合を示す。図８のＳｔｅｐ２を参照すると、商品販売サービスを提供するサービス提供者１は、商品購買に対する決済完了メッセージをチャットルーム２を用いてユーザ端末に送信する。そして、商品販売サービスを提供するサービス提供者１は、商品配送のための商品準備メッセージをチャットルーム２を用いてユーザ端末に送信することができる。
【０１１６】
図８に示すＳｔｅｐ３は、ユーザが購入した商品を配送するステップに関するメッセージが送信される場合を示す。図８のＳｔｅｐ３を参照すると、商品配送サービスを提供するサービス提供者２は、商品受付メッセージをチャットルーム２を用いてユーザ端末に送信する。そして、商品配送サービスを提供するサービス提供者２は、商品配送予定メッセージをチャットルーム２を用いてユーザ端末に送信する。また、商品配送サービスを提供するサービス提供者２は、商品配送完了メッセージをチャットルーム２を用いてユーザ端末に送信することができる。
【０１１７】
図８に示すＳｔｅｐ４はユーザが商品を受取り、商品に対する購買決定するステップに関するメッセージが送信される場合を示す。図８のＳｔｅｐ４を参照すると、商品販売サービスを提供するサービス提供者１は、商品受取確認メッセージをチャットルーム２を用いてユーザ端末に送信する。そして、商品販売サービスを提供するサービス提供者１は、商品購買決定リクエストメッセージをチャットルーム２を用いてユーザ端末に送信する。また、商品販売サービスを提供するサービス提供者１は、商品購買後のレビュー作成リクエストメッセージをチャットルーム２を用いてユーザ端末に送信する。
【０１１８】
ユーザの購買後のレビューが作成されて該当商品に関するサービスが完了した場合、チャットルーム２はチャットルームリストから削除されてもよい。そして、図８に示されたメッセージは、ユーザ端末の応答をリクエストするインタフェースを含んでもよい。例えば、図８に示されたメッセージは、メッセージ内容に対して確認をリクエストしたり、又は特定リンクに移動することをリクエストするインタフェースなどを含むことができる。
【０１１９】
そして、図８に示されたメッセージは、商品販売、商品配送、商品購買決定などのように商品に関する様々なサービスに対するメッセージを含んでもよく、ユーザ端末１０２は、チャットルーム２を用いてサービス提供装置とコミュニケーションできる。それだけではなく、チャットルームで送信されるメッセージ送信コストが無料であれば、サービス提供装置は、メッセンジャープログラムによって所望するサービスを処理しながらも通信コストの負担を減らし得る。また、ユーザ端末が主に用いるメッセンジャープログラムをそのまま活用して、ユーザ端末と便利にコミュニケーションできる。
【０１２０】
図９は、一実施形態によるメッセージ仲介サーバが行うメッセージ仲介方法を示す図である。
【０１２１】
ステップ９０１において、メッセージ仲介サーバは、ユーザ端末又は少なくとも１つのサービス提供装置から商品又はサービスに関するチャットリクエストを受信する。一例として、メッセージ仲介サーバは、商品又はサービスに対する識別情報及びユーザＩＤを含むチャットリクエストを受信してもよい。
【０１２２】
ステップ９０２において、メッセージ仲介サーバは商品又はサービスを識別する。識別された商品又はサービスはユーザ端末に提供されることを意味する。商品又はサービスは、固有コード、商品名、サービス名、カテゴリーなどで特定されてもよい。
【０１２３】
ステップ９０３において、メッセージ仲介サーバは、識別された商品又はサービスに対応するチャットルームを生成する。一例として、商品又はサービスが複数であり、複数の商品又はサービスの間に関連性が存在しない場合、メッセージ仲介サーバは、複数の商品又はサービスごとに独立的なチャットルームを生成してもよい。そして、商品又はサービスが複数であり、複数の商品又はサービスの間に関連性が存在する場合、メッセージ仲介サーバは、関連性が存在する複数の商品又はサービスに対するメッセージ交換のために１つのチャットルームを生成してもよい。
【０１２４】
メッセージ仲介サーバは、チャットリクエストに含まれた商品又はサービスに対する識別情報及びユーザＩＤに基づいてトークンを生成してもよい。生成されたトークンは、ユーザ端末又はサービス提供装置に提供される。すると、ユーザ端末又はサービス提供装置は、トークンを用いて商品又はサービスに対応して生成されたチャットルームに接続できる。ここで、トークンは、チャットルームに接続できる権限として１回性トークンであってもよい。
【０１２５】
ここで、商品又はサービスに対する識別情報は、商品又はサービスを区分するための固有情報を意味する。そして、ユーザＩＤは、ユーザの電話番号又は氏名などのようにユーザを区分するための固有情報であってもよい。サービス提供装置とユーザ端末は、トークンを用いて商品又はサービスに対応して生成されたチャットルームに接続できる。
【０１２６】
ステップ９０4において、メッセージ仲介サーバは、チャットルームを用いて前記少なくとも１つのサービス提供装置から受信したメッセージをユーザ端末に送信する。そして、商品又はサービスの提供が完了する場合、メッセージ仲介サーバは、商品又はサービスに対応したチャットルームを削除する。ここで、メッセージ仲介サーバは、ユーザ端末のリクエストに応じて予め設定された期間中にチャットルームを用いて送信されたメッセージを格納できる。
【０１２７】
図１０は、一実施形態によるユーザ端末が行うメッセージ処理方法を示す図である。
ステップ１００１において、ユーザ端末は、ユーザ端末又は少なくとも１つのサービス提供装置からの商品又はサービスに関するチャットリクエストに応じて生成されたチャットルームに接続する。
【０１２８】
チャットルームは、商品又はサービスに対する識別情報及びユーザＩＤを含むチャットリクエストに対応して生成される。そして、商品又はサービスに対する識別情報及びユーザＩＤに基づいてチャットルームに対するトークンが生成され、生成されたトークンはユーザ端末に伝達される。すると、ユーザ端末はトークンを用いてチャットルームに接続できる。
【０１２９】
一例として、商品又はサービスが複数であり、複数の商品又はサービスの間に関連性が存在しない場合、チャットルームは複数の商品又はサービスごとに独立的に生成される。そして、商品又はサービスが複数であり、複数の商品又はサービスの間に関連性が存在する場合、メッセージ仲介サーバは関連性が存在する複数の商品又はサービスに対するメッセージ交換のために１つのチャットルームを生成する。
【０１３０】
ステップ１００２において、ユーザ端末は少なくとも１つのサービス提供装置がチャットルームを用いて送信したメッセージを受信する。ここで、サービス提供装置が送信するメッセージは、商品又はサービスの提供に関する進行予定、商品又はサービス準備を示すメッセージ又は商品又はサービスの提供が進行された後処理過程を示すメッセージなどを含む。すなわち、メッセージは商品又はサービスの提供に関する処理ステップごとに区分され、ユーザ端末に商品又はサービスの提供に関する進行事項を案内する内容を含んでもよい。
【０１３１】
ステップ１００３において、ユーザ端末は、チャットルームを用いて受信したメッセージを表示する。
【０１３２】
そして、商品又はサービス提供が完了する場合、商品又はサービスに対応して生成されたチャットルームが削除されてもよい。ここで、メッセージ仲介サーバは、ユーザ端末のリクエストに応じて予め設定された期間中にチャットルームを用いて送信されたメッセージを格納できる。
【０１３３】
図１１は、一実施形態によるサービス提供装置が行うメッセージ処理方法を示す図である。
【０１３４】
ステップ１１０１において、サービス提供装置はユーザ端末又はサービス提供装置からの商品又はサービスに関するチャットリクエストに応じて生成されたチャットルームに接続する。
【０１３５】
チャットルームは、商品又はサービスに対する識別情報及びユーザＩＤを含むチャットリクエストに対応して生成される。そして、商品又はサービスに対する識別情報及びユーザＩＤに基づいてチャットルームに対するトークンが生成され、生成されたトークンはユーザ端末に伝えられる。すると、サービス提供装置は、トークンを用いてチャットルームに接続できる。ここで、トークンは、チャットルームに接続するために用いられる１回性トークンであってもよい。
【０１３６】
ここで、商品又はサービスに対する識別情報は、サービスを区分するための固有情報を意味する。そして、ユーザＩＤは、ユーザの電話番号又は氏名などのようにユーザ端末を区分するための固有情報であってもよい。すなわち、サービス提供装置は、ユーザトークンに基づいてユーザ端末のためのサービスに対応するチャットルームに接続できる。
【０１３７】
ステップ１１０２において、サービス提供装置は、商品又はサービスに関するメッセージをチャットルームを用いて送信する。
【０１３８】
一方、サービス提供装置は、ユーザ端末にサービス進行に関するメッセージを送信し、サービス進行に関するメッセージに対するユーザ端末の応答に応じてサービス進行を制御する。
【０１３９】
そして、商品又はサービスの提供が完了する場合、商品又はサービスに対応して生成されたチャットルームが削除されてもよい。ここで、メッセージ仲介サーバは、ユーザ端末のリクエストに応じて予め設定された期間中にチャットルームを用いて送信されたメッセージを格納できる。
【０１４０】
図１２は、一実施形態によるサービス管理方法を行う全体システムを示す図である。
【０１４１】
図１２を参照すると、システムは、メッセージ仲介サーバ１２０１、ユーザ端末１２０２、サービス管理サーバ１２０３、及びサービス処理端末１２０４を含む。一方、サービス管理サーバ１２０３又はメッセージ仲介サーバ１２０１は、ユーザがリクエストした少なくとも１つのサービスを含むサービスリストをサービス処理端末１２０４に提供する。サービス処理端末１２０４は、行わなければならないサービス属性に応じて他の過程でサービスを管理することができる。ここで、サービスリストは、サービスをリクエストしたユーザの詳細情報又はサービスの詳細情報を含む。
【０１４２】
例えば、配達サービス、訪問サービスなどのようにユーザ端末１２０２にサービスを提供するサービス処理端末１２０４が予め決定されている場合、ユーザがリクエストしたサービスの詳細情報を受信したサービス処理端末１２０４は、ユーザがリクエストしたサービスにより生成されたチャットルームを用いてサービス進行メッセージをユーザ端末１２０２に送信する。サービス進行メッセージは、サービスの進行状態を知らせたり、サービス進行に対してサービス被提供者の応答をリクエストするメッセージを含んでもよい。
【０１４３】
メッセージ仲介サーバ１２０１は、サービスリストで選択されたサービス単位でチャットルームを生成してもよい。そして、ユーザがリクエストしたサービスにより生成されたチャットルームは、一回性のものとして（その都度）生成されるチャットルームであってもよい。
【０１４４】
また、ユーザ端末１２０２は、チャットルームを用いてサービス進行メッセージに対する応答をサービス処理端末１２０４に送信する。サービス処理端末１２０４は、ユーザ端末１２０２の応答に応じてサービス状態を変更し得る。ここで、サービス状態は、サービスの進行程度（例えば、サービスの開始ステップ、進行ステップ、サービス提供完了ステップ、サービスの評価ステップなどのサービス進行ステップ情報）、サービス経過情報（例えば、時間又は距離情報）又はサービスが提供されたときサービス被提供者の状況（例えば、被提供者がサービス提供場所に留守の場合や被提供者がサービス提供場所でサービスの提供を受けることが可能な場合）などを含む。
【０１４５】
サービス提供者がサービス被提供者にサービスを提供するとき、サービス提供者は、サービス処理端末１２０４に表示されたサービス状態を参考できる。この場合、ユーザ端末１２０２とサービス処理端末１２０４はＮ：１の関係になり得る。
【０１４６】
他の例として、ユーザがリクエストしたサービスに対してサービス処理端末１２０４が予め決定されていない場合、サービス管理サーバ１２０３は、ユーザがリクエストした少なくとも１つのサービスを含むサービスリストをサービス処理端末１２０４に送信してもよい。ここで、サービス管理サーバ１２０３は、ユーザ端末１２０２のサービス設定条件（例えば、サービスの種類、サービス日程、サービス地域情報、サービス提供者の種類又はサービス日程情報）によりサービスリストと共に、又は別に、サービスリストに含まれた少なくとも１つのユーザ端末１２０２のサービスの詳細情報又はユーザ詳細情報をサービス処理端末１２０４に送信することができる。ここで、サービスの詳細情報は、サービスに関する商品、サービス提供場所、サービスリクエスト時間又はサービス提供時間などサービスを区分してサービスの内容を確認できる様々な情報を含む。そして、ユーザの詳細情報は、ユーザの名前、ユーザの電話番号、ユーザのＩＤ、ユーザのメールアドレス、ユーザのニックネームなどユーザを特定するための様々な情報を含んでもよい。
【０１４７】
一例として、サービス管理サーバ１２０３は、ユーザ端末１２０２が設定したサービス地域と半径情報に基づいて、設定されたサービス地域から設定された半径内に位置しているサービス処理端末１２０４にのみサービスリスト又はユーザがリクエストしたサービスの詳細情報を送信してもよい。
【０１４８】
他の例として、サービス管理サーバ１２０３は、ユーザ端末１２０２が設定したサービス提供者の種類（例えば、特定相互のサービス提供者）情報に基づいて、設定した特定サービス提供者のサービス処理端末１２０４にのみサービスリスト又はユーザがリクエストしたサービスの詳細情報を送信してもよい。
【０１４９】
その後、選択的に、サービス処理端末１２０４は、ユーザがリクエストしたサービスに関する詳細情報に基づいて、サービス処理端末１２０４を所有しているサービス提供者にユーザがリクエストしたサービスの処理如何を問い合わせる。又は、別の問い合わせ過程なしに、サービス処理端末１２０４を所有しているサービス提供者は、サービスの詳細情報を考慮してサービスリストからサービスを提供可能なユーザ端末１２０２のうち、サービスを効率よく提供することのできるユーザ端末１２０２を選択することができる。
【０１５０】
又は、サービス処理端末１２０４は、少なくとも１つのユーザ端末にサービスリストのうちユーザがリクエストしたサービスを、サービス処理端末１２０４が処理することに同意するか否かを問い合わせてもよい。
【０１５１】
サービス処理端末１２０４のサービス提供者がユーザがリクエストしたサービスを処理する場合（例えば、ユーザがサービス処理に同意した場合など）、サービス処理端末１２０４は、ユーザがリクエストしたサービスにより生成されたチャットルームを用いてサービス進行メッセージを送信する。メッセージ仲介サーバ１２０１は、サービス単位でチャットルームを生成する。そして、ユーザがリクエストしたサービスにより生成されたチャットルームは、一回性のものとして（その都度）生成されたチャットルームであってもよい。この場合、ユーザ端末１２０２とサービス処理端末１２０４は１：１の関係である。
【０１５２】
サービス処理端末１２０４は、ユーザ端末１２０２の応答に応じてサービス状態を変更してもよい。ここで、サービス状態は、サービスの進行程度（例えば、サービスの開始ステップ、進行ステップ、サービス提供完了ステップ、サービスの評価ステップなどのサービス進行ステップ情報）、サービス経過情報（例えば、時間又は距離情報）又はサービスが提供されたときサービス被提供者の状況（例えば、被提供者がサービス提供場所に留守の場合や被提供者がサービス提供場所でサービスを提供されることができる場合）などを含む。
【０１５３】
サービス管理方法については以下で具体的に説明する。
【０１５４】
図１３は、一実施形態によるサービス処理端末の詳細構成を示す図である。
【０１５５】
図１３を参照すると、サービス処理端末１２０４は、リスト受信部１３０１及びメッセージ送信部１３０４を含む。そして、サービス処理端末１２０４は、サービス問い合わせ部１３０２をさらに含んでもよい。また、サービス処理端末１２０４は、同意問い合わせ部１３０３をさらに含んでもよい。そして、サービス処理端末１２０４は状態変更部１３０５をさらに含んでもよい。
【０１５６】
リスト受信部１３０１は、ユーザがリクエストした少なくとも１つのサービスを含むサービスリストを受信する。ここで、サービスリストは、含まれた少なくとも１つのユーザがリクエストしたサービスの詳細情報又はユーザの詳細情報を含む。一例として、リスト受信部１３０１は、サービスをリクエストしたユーザ端末に関するサービス処理日程、サービス処理地域、サービス状態のうち少なくとも１つに基づいてサービスリストを整列してもよい。
【０１５７】
サービス問い合わせ部１３０２は、サービスの詳細情報に基づいてサービス処理端末を所有しているサービス提供者にユーザがリクエストしたサービスの処理如何を問い合わせる。又は、別の問い合わせ過程なしに、サービス処理端末を所有しているサービス提供者は、サービスの詳細情報を考慮してサービスリストからサービスを提供することのできるユーザ端末のうち、サービスを効率よく提供できるユーザ端末を選択する。
【０１５８】
同意問い合わせ部１３０３は、サービスリストに含まれた少なくとも１つのユーザ端末にユーザがリクエストしたサービスの処理に同意するか否かを問い合わせる。
【０１５９】
ユーザがリクエストしたサービスの処理に同意するか否かに関する問い合わせに対してユーザ端末からユーザの同意を受信した場合、メッセージ仲介サーバ１２０1は、ユーザ端末１２０２、サービス管理サーバ１２０３又はサービス処理端末１２０４のリクエストによってチャットルームを生成する。チャットルームは、サービス単位で生成されてもよい。サービス単位のチャットルームは、メッセンジャープログラム上で別の友人登録の手続なしに、ユーザがリクエストしたサービスに基づいて生成される。すると、ユーザ端末１２０２とサービス処理端末１２０４は、メッセージ仲介サーバ１２０１が提供したメッセンジャープログラムによってチャットルームに接続できる。
【０１６０】
ここで、チャットルームは、ユーザがリクエストしたサービスに基づいて一回性のものとして（その都度）生成されてもよい。そして、チャットルームは、前記選択されたサービスに対して予め設定されたサービス処理期間が経過したり、又はサービス処理が完了すれば消滅してもよい。また、チャットルームは、ユーザがリクエストしたサービスの詳細情報及びユーザの詳細情報に基づいて生成されてもよい。
【０１６１】
メッセージ送信部１３０４は、ユーザがリクエストしたサービスにより生成されたチャットルームによりサービス進行メッセージを送信する。一例として、メッセージ送信部１３０４は、ユーザと友人関係にある他のユーザのユーザ端末又は前記ユーザが指定した他のユーザのユーザ端末にサービス進行メッセージを送信してもよい。
【０１６２】
状態変更部１３０５は、サービス進行メッセージに対するユーザの応答又はサービス処理端末１２０４を所有しているサービス提供者の入力に基づいてサービス状態を変更する。変更されたサービスの状態は、メッセージ送信部１３０４によってユーザ端末１２０２に伝えられる。
【０１６３】
図１４は、一実施形態によるサービスにより生成されたチャットルームを用いてサービス処理端末が送信するサービス進行メッセージを示す図である。
【０１６４】
図１４を参照すると、サービス処理端末１２０４は、サービスをリクエストしたユーザ端末にチャットルームを用いてサービス進行メッセージを送信する。そして、サービス処理端末１２０４は、サービス進行メッセージに対するユーザの応答に応じてサービス状態を制御する。
【０１６５】
一例として、図１４に示す画面１４０１は、サービス処理端末１２０４で商品配送サービスをリクエストしたユーザを示すサービスリストを示す。ここで、同じ種類の複数のサービスに対してユーザに応じてサービスが区分される。それだけではなく、同じユーザがリクエストした複数のサービスに対してサービスの詳細内容によってサービスが区分される。サービス処理端末１２０４が受信するサービスリストは、ユーザ又はサービスの詳細内容によって区分される少なくとも１つのサービスを含むことができる。
【０１６６】
サービス処理端末１２０４は、商品配送サービスを申し込んだユーザ端末を含むサービスリストからユーザ端末を選択し、サービス進行メッセージをチャットルームを用いてユーザ端末１２０２に送信する。ここで、サービス進行メッセージは、画面１４０２で示されたチャットルームを用いて伝えられる商品配送の予定時間のようなサービス処理日程を含んでもよい。
【０１６７】
画面１４０１で、サービスリストに含まれたユーザは、サービスに関する詳細情報を示すサービス処理日程、サービス処理地域、サービス状態のうち少なくとも１つ基づいて整列する。ここで、サービス処理日程は、サービス予定時間を意味する。サービス処理地域は、サービス処理端末の位置とユーザがリクエストしたサービス位置間の距離を意味する。そして、サービス状態は、サービスが提供された時のサービス被提供者の状況として、サービス処理日程に対するユーザの応答に応じて設定される。
【０１６８】
図１４を参照すると、サービス処理日程を含むサービス進行メッセージは画面１４０２のようにチャットルームを用いて送信される。画面１４０１で、サービス処理端末１２０４がユーザ１を選択した場合、ユーザ１のユーザ端末１２０２にサービス処理日程を含むサービス進行メッセージを送信し、サービス進行メッセージに対する応答をリクエストする。
【０１６９】
すると、ユーザ端末１２０２は、サービス処理日程を含むサービス進行メッセージに対して（ｉ）サービス提供者がユーザにサービスを提供したときユーザが直ちに提供されることができる場合（受取可能）、（ｉｉ）ユーザがリクエストしたサービスの提供場所／日程などを変更リクエストした場合（管理室など）、又は（ｉｉｉ）サービス提供者がユーザにサービスを提供した時ユーザが直ちに提供を受けることができない場合（留守中）のような応答をサービス処理端末１２０４に送信してもよい。サービス処理端末１２０４は、ユーザ端末１２０２の応答に応じて画面１４０１で図示したように「受取可能」、「管理室」、「留守中」のようなサービス状態を変更し得る。したがって、サービス処理端末１２０４を所有するサービス提供者は、変更されたサービス状態を考慮してユーザがリクエストしたサービスを提供することができる。
【０１７０】
図１５は、一実施形態によりサービス処理端末にサービスの処理の可否を問い合わせる過程を示す図である。
【０１７１】
図１５を参照すると、画面１５０１は、サービスをリクエストしたユーザに対してサービスの処理可能なサービス処理端末１２０４を所有する少なくとも１つのサービス提供者を含むサービス提供者リストを示す。ここで、図１５は、コールタクシーサービスを仮定して説明するが、本発明はこれに限定されることはない。
【０１７２】
サービス提供者リストは、ユーザがリクエストしたサービスの詳細情報を含む。ここで、サービス提供者リストは、サービス提供者がユーザがリクエストしたサービスを処理中であるか、又はサービスに対して処理待機中であるか否か、ユーザがリクエストしたサービスの提供場所（アドレス、位置など）又はサービスをリクエストしたユーザとサービス提供者との距離などと共にサービス処理端末１２０４に表示される。このようなサービス提供者リストは、サービス管理サーバ１２０３又はサービス処理端末１２０４がユーザ端末１２０２からサービスをリクエストされれば生成される。
【０１７３】
画面１５０１は、サービス処理端末１２０４を所有しているサービス提供者である運転手１に対して、ユーザがリクエストしたサービスの処理の可否を問い合わせることを示す。
【０１７４】
もし、運転手１がユーザがリクエストしたサービスを処理できないと応答した場合、又は一定時間の間応答しない場合、運転手２のサービス処理端末は運転手２にサービスを処理できるか否かを問い合わせる。
【０１７５】
このようにサービス処理に対する問い合わせ順序は、サービス処理日程、サービス処理地域、サービス予定状態などによって決定されてもよい。図１５に示す場合、ユーザ端末１２０２とそれぞれのコールタクシー運転手が所持しているサービス処理端末１２０４との距離に応じて、サービス処理に対する問い合わせ順序が決定された場合を示す。
【０１７６】
又は、別の問い合わせ過程なしに、サービス処理端末１２０４を所有しているサービス提供者である運転手１は、サービスの詳細情報を考慮してサービスリストからサービスを提供可能なユーザ端末のうちサービスを効率よく提供することのできるユーザ端末１２０２を選択する。
【０１７７】
もし、運転手１のサービス処理端末が、ユーザがリクエストしたサービスを処理する場合、画面１５０３のように、サービス処理端末１２０４はユーザがリクエストしたサービスにより生成されたチャットルームを用いてサービス進行メッセージを送信する。ここで、ユーザがリクエストしたサービスにより生成されたチャットルームは、一回性のものとして（その都度）生成されるチャットルームである。そして、サービス進行メッセージはサービスの進行状態を知らせたり、サービス進行に対してサービス被提供者の応答をリクエストするメッセージであってもよい。例えば、サービス進行メッセージは、ユーザがサービス対象であるコールタクシーに乗車するまで送信されたメッセージであったり、コールタクシーに乗車完了した後に送信されたメッセージを意味する。
【０１７８】
一方、このようなサービス進行メッセージは、サービスをリクエストしたユーザだけではなく、前記ユーザと友人関係にある他のユーザのユーザ端末又は前記ユーザが指定した他のユーザのユーザ端末に送信され得る。
【０１７９】
図１６は、他の実施形態によるサービス処理端末が行うサービス管理方法を示す図である。
【０１８０】
ステップ１６０１において、サービス処理端末１２０４は、サービスをリクエストした少なくとも１つのユーザ端末１２０２を含むサービスリストを受信する。サービスリストは、サービスをリクエストしたユーザの詳細情報又はサービスの詳細情報を含む。一例として、サービス処理端末１２０４は、ユーザがリクエストしたサービスの詳細情報を示すサービス処理日程、サービス処理地域、サービス状態のうち少なくとも１つに基づいてサービスリストを整列する。
【０１８１】
ステップ１６０２において、サービス処理端末１２０４は、サービスの詳細情報に基づいてサービス処理端末を所有しているサービス提供者にユーザがリクエストしたサービスの処理如何を問い合わせる。ステップ１６０２は、サービス処理端末１２０４によって選択的に実行され得る。又は、別の問い合わせ過程なしに、サービス処理端末１２０４を所有しているサービス提供者は、サービスの詳細情報を考慮してサービスリストからサービスを提供可能なユーザ端末１２０２のうちサービスを効率よく提供することのできるユーザ端末１２０２を選択する。
【０１８２】
ステップ１６０３において、サービス処理端末１２０４は、サービスリストに含まれた少なくとも１つのユーザ端末１２０２にユーザがリクエストしたサービスの処理に同意するか否かを問い合わせる。すると、ステップ１６０４において、ユーザ端末１２０２がユーザがリクエストしたサービスの処理に同意するとの返答をサービス処理端末１２０４に送信する。ステップ１６０３及びステップ１６０４は、サービス処理端末１２０４によって選択的に実行される。
【０１８３】
一方、メッセージ仲介サーバ１２０1は、ユーザ端末１２０２、サービス管理サーバ１２０３又はサービス処理端末１２０４のリクエストによってチャットルームを生成する。チャットルームは、サービス単位で生成されてもよい。サービス単位のチャットルームは、メッセンジャープログラム上で別途の友人登録の手続なしに、ユーザがリクエストしたサービスに基づいて生成される。したがって、ユーザ端末１２０２とサービス処理端末１２０４は、メッセージ仲介サーバ１２０１が提供したメッセンジャープログラムによってチャットルームに接続できる。
【０１８４】
ここで、チャットルームは、ユーザがリクエストしたサービスに基づいて一回性のものとして（その都度）生成されてもよい。そして、チャットルームは、前記選択されたサービスに対して予め設定されたサービス処理期間が経過したり、又はサービス処理が完了すれば消滅してもよい。また、チャットルームは、ユーザがリクエストしたサービスの詳細情報及びユーザの詳細情報に基づいて生成され得る。
【０１８５】
ステップ１６０５において、サービス処理端末１２０４は、ユーザがリクエストしたサービスにより生成されたチャットルームを用いてサービス進行メッセージを送信する。一例として、サービス処理端末１２０４は、ユーザと友人関係にあるユーザのユーザ端末又はユーザが指定した他のユーザのユーザ端末にサービス進行メッセージを送信してもよい。
【０１８６】
ステップ１６０６において、サービス処理端末１２０４は、ユーザ端末１２０２からサービス進行メッセージに対する返答を受信する。ステップ１６０６は、サービス処理端末１２０４によって選択的に実行され得る。
【０１８７】
そして、ステップ１６０７において、サービス処理端末１２０４は、サービス進行メッセージに対するユーザ端末１２０２の応答又はサービス処理端末１２０４を所有しているサービス提供者の入力に基づいてサービス状態を変更する。変更されたサービスの状態は、メッセージ送信部１３０４によってユーザ端末１２０２に送信される。ステップ１６０７は、サービス処理端末１２０４によって選択的に実行され得る。
【０１８８】
以上述した装置は、ハードウェア構成要素、ソフトウェア構成要素、又はハードウェア構成要素及びソフトウェア構成要素の組合せで具現される。例えば、本実施形態で説明した装置及び構成要素は、例えば、プロセッサ、コントローラ、ＡＬＵ（Arithmetic Logic Unit）、デジタル信号プロセッサ（Digital Signal Processor）、マイクロコンピュータ、ＦＰＡ（Field Programmable Array）、ＰＬＵ（Programmable Logic Unit）、マイクロプロセッサー、又は命令（instruction）を実行して応答する異なる装置のように、１つ以上の汎用コンピュータ又は特殊目的コンピュータを用いて具現される。処理装置は、オペレーティングシステム（ＯＳ）及びオペレーティングシステム上で行われる１つ以上のソフトウェアアプリケーションを実行する。また、処理装置は、ソフトウェアの実行に応答してデータをアクセス、格納、操作、処理、及び生成する。理解の便宜のために、処理装置は１つが使用されるものとして説明する場合もあるが、当該技術分野で通常の知識を有する者は、処理装置が複数の処理要素（processing element）及び／又は複数タイプの処理要素を含むことが分かる。例えば、処理装置は、複数のプロセッサ又は１つのプロセッサ及び１つのコントローラを含む。また、並列プロセッサ（parallel processor）のような、他の処理構成も可能である。
【０１８９】
ソフトウェアは、コンピュータプログラム、コード、命令、又はこれらのうちの１つ以上の組合せを含み、希望通りに動作するように処理装置を構成し、独立的又は結合的に処理装置に命令する。ソフトウェア及び／又はデータは、処理装置によって解釈され、処理装置に命令又はデータを提供するためのあらゆるタイプの機械、構成要素、物理的装置、仮想装置、コンピュータ格納媒体又は装置、或いは送信される信号波を介して永久的又は一時的に具現化される。ソフトウェアは、ネットワークに接続されたコンピュータシステム上に分散され、分散された方法で格納されるか又は実行される。ソフトウェア及びデータは１つ以上のコンピュータ読み取り可能な記録媒体に格納される。
【０１９０】
本実施形態による方法は、多様なコンピュータ手段を介して実施されるプログラム命令の形態で具現され、コンピュータ読み取り可能な記録媒体に記録される。記録媒体は、プログラム命令、データファイル、データ構造などを単独又は組合せて含む。記録媒体及びプログラム命令は、本発明の目的のために特別に設計して構成されたものでもよく、コンピュータソフトウェア分野の技術を有する当業者にとって公知のものであり使用可能なものであってもよい。コンピュータ読み取り可能な記録媒体の例としては、ハードディスク、フロッピー（登録商標）ディスク及び磁気テープのような磁気媒体、ＣＤ−ＲＯＭ、ＤＶＤのような光記録媒体、フロプティカルディスクのような磁気−光媒体、及びＲＯＭ、ＲＡＭ、フラッシュメモリなどのようなプログラム命令を保存して実行するように特別に構成されたハードウェア装置を含む。プログラム命令の例としては、コンパイラによって生成されるような機械語コードだけでなく、インタプリタなどを用いてコンピュータによって実行される高級言語コードを含む。ハードウェア装置は、本発明の動作を実行するために１つ以上のソフトウェアモジュールとして作動するように構成してもよく、その逆も同様である。
【０１９１】
以上、本発明の実施形態について図面を参照しながら詳細に説明したが、本発明は、上述の実施形態に限定されるものではなく、本発明の技術的範囲から逸脱しない範囲内で多様に変更実施することが可能である。
【符号の説明】
【０１９２】
１０１：メッセージ仲介サーバ
１０２−１〜１０２−Ｎ：ユーザ端末
１０３−１〜１０３−Ｎ：サービス管理サーバ
１０４−１〜１０４−Ｓ：サービス処理端末 
【図１】
0006339685.tif 000002
【図２】
0006339685.tif 000003
【図３】
0006339685.tif 000004
【図４】
0006339685.tif 000005
【図５】
0006339685.tif 000006
【図６】
0006339685.tif 000007
【図７】
0006339685.tif 000008
【図８】
0006339685.tif 000009
【図９】
0006339685.tif 000010
【図１０】
0006339685.tif 000011
【図１１】
0006339685.tif 000012
【図１２】
0006339685.tif 000013
【図１３】
0006339685.tif 000014
【図１４】
0006339685.tif 000015
【図１５】
0006339685.tif 000016
【図１６】
0006339685.tif 000017